(57)【特許請求の範囲】
【請求項１】
液体を収容する容器本体と、前記容器本体に取付けられて該容器本体内の液体をノズルの噴射孔から液滴にして前方向に噴射するためのトリガースプレー部材を有して成り、
該トリガースプレー部材は、ノズルの噴射孔の周囲に前方向に突出形成された筒形状の泡化筒と、前記容器本体内の液体が噴射孔から噴射されるときにその噴射液に回転をかけるスピンエレメントとを備えて、
前記噴射孔から噴射された液滴を前記泡化筒の内壁に衝突させて泡化して噴射するようにした泡吐出容器において、
前記泡化筒の内側と外側を貫通すると共に前記泡化筒の前端面に開放しかつ噴射孔に向けて切り込んだ複数のスリットを平行に形成し、
ノズルの噴射孔から噴出された液滴の一部が泡化筒の内壁面に当り飛散しながら空気と混合し直接噴霧される液滴を巻き込んで目的面に噴射されると共に、噴射された液滴の他の一部が泡化筒のスリットを通過することによって空気と混合して泡状となって泡化筒の外側に拡がりながら噴射されるようになっていることを特徴とする泡吐出容器。
【請求項２】
液体を収容する容器本体と、前記容器本体に取付けられて該容器本体内の液体をノズルの噴射孔から液滴にして前方向に噴射するためのトリガースプレー部材を有して成り、
該トリガースプレー部材は、ノズルの噴射孔の周囲に前方向に突出形成された筒形状の泡化筒と、前記容器本体内の液体が噴射孔から噴射されるときにその噴射液に回転をかけるスピンエレメントとを備えて、
前記噴射孔から噴射された液滴を前記泡化筒の内壁に衝突させて泡化して噴射するようにした泡吐出容器において、
前記泡化筒の内側と外側を貫通すると共に前記泡化筒の前端面に開放しかつ噴射孔に向けて切り込んだ複数のスリットを、スピンエレメントによって回転のかけられた噴射液の流れ方向に同方向あるいは逆方向に捻るように形成し、
ノズルの噴射孔から噴出された液滴の一部が泡化筒の内壁面に当り飛散しながら空気と混合し直接噴霧される液滴を巻き込んで目的面に噴射されると共に、噴射された液滴の他の一部が泡化筒のスリットを通過することによって空気と混合して泡状となって泡化筒の外側に拡がりながら噴射されるようになっていることを特徴とする泡吐出容器。
【請求項３】
液体を収容する容器本体と、前記容器本体に取付けられて該容器本体内の液体をノズルの噴射孔から液滴にして前方向に噴射するためのトリガースプレー部材を有して成り、
該トリガースプレー部材は、ノズルの噴射孔の周囲に前方向に突出形成された筒形状の泡化筒と、前記容器本体内の液体が噴射孔から噴射されるときにその噴射液に回転をかけるスピンエレメントとを備えて、
前記噴射孔から噴射された液滴を前記泡化筒の内壁に衝突させて泡化して噴射するようにした泡吐出容器において、
前記泡化筒の先端部近傍に先端面に開放せずかつ泡化筒の内側から外側に貫通する貫通孔を形成し、
ノズルの噴射孔から噴出された液滴の一部が泡化筒の内壁面に当り飛散しながら空気と混合し直接噴霧される液滴を巻き込んで目的面に噴射されると共に、噴射された液滴の他の一部が泡化筒の貫通孔を通過することによって空気と混合して泡状となって泡化筒の外側に拡がりながら噴射されるようになっていることを特徴とする泡吐出容器。
【請求項４】
前記貫通孔には、メッシュを設置し、
前記噴射された液滴の他の一部が泡化筒の貫通孔に設置のメッシュを通過することによって空気と混合して泡状となって泡化筒の外側に拡がりながら噴射されるようになっていることを特徴とする請求項３に記載の泡吐出容器。
【発明の詳細な説明】
【０００１】
【発明の属する技術分野】
本発明は、容器内の液体を噴射または噴霧するトリガー式のスプレー容器に関し、特に、液体を泡化して噴射する泡吐出容器に関するものである。
【０００２】
【従来の技術】
従来、容器内の化粧液、各種液体洗剤、仕上げ液、防カビ剤、消毒液、漂白剤、等の液体組成物を、レバーをトリガー操作（握り／緩め）することにより噴射または噴霧するトリガー式スプレー器が一般に多く採用されている。
このようなトリガー式スプレー器は、一般に、液体が収容される容器と、該容器の上部に取付けられるトリガースプレー部材とから成り、前記トリガースプレー部材は液体を送液するための送液チューブを備え、容器内の液体をトリガースプレー部材の吐出部の設けられるノズルに供給して、これより噴霧あるいは噴射するようにされている。
【０００３】
このスプレーパターンに変化を持たせるために、ノズルに工夫を加えたスプレー器も数多く提案されている。
その中で、噴霧対象物への液体の定着性を向上させるために、内容液を泡状にして吐出する、いわゆる発泡ノズルを備えた泡吐出容器についての提案も数多くなされている。
【０００４】
【発明が解決しようとする課題】
しかしながら、発泡ノズルの場合、霧状に噴霧された液体を発泡筒に衝突させることで、泡化するという方法が知られているが、これによると、集中して噴霧されるため、広いパターンを得ることが難しく、泡が対象物に厚く塗布されて、内溶液の効果が充分に発揮できないという問題点があった。
【０００５】
本発明は、上記従来の問題点に鑑みてなされたものであり、泡状でスプレーするとともにスプレーパターンを広くして、内容液の散布効率の向上を図るとともに、泡を薄く散布することで内容液を効率良く使用することができる泡吐出容器を提供することを目的とする。
【０００６】
【課題を解決するための手段】
本発明は、液体を収容する容器本体と、前記容器本体に取付けられて該容器本体内の液体をノズルの噴射孔から液滴にして前方向に噴射するためのトリガースプレー部材を有して成り、
該トリガースプレー部材は、ノズルの噴射孔の周囲に前方向に突出形成された筒形状の泡化筒と、前記容器本体内の液体が噴射孔から噴射されるときにその噴射液に回転をかけるスピンエレメントとを備えて、
前記噴射孔から噴射された液滴を前記泡化筒の内壁に衝突させて泡化して噴射するようにした泡吐出容器において、
前記泡化筒の内側と外側を貫通すると共に前記泡化筒の前端面に開放しかつ噴射孔に向けて切り込んだ複数のスリットを平行に形成し、
ノズルの噴射孔から噴出された液滴の一部が泡化筒の内壁面に当り飛散しながら空気と混合し直接噴霧される液滴を巻き込んで目的面に噴射されると共に、噴射された液滴の他の一部が泡化筒のスリットを通過することによって空気と混合して泡状となって泡化筒の外側に拡がりながら噴射されるようになっていることを特徴とする泡吐出容器である。
また、本発明は、液体を収容する容器本体と、前記容器本体に取付けられて該容器本体内の液体をノズルの噴射孔から液滴にして前方向に噴射するためのトリガースプレー部材を有して成り、
該トリガースプレー部材は、ノズルの噴射孔の周囲に前方向に突出形成された筒形状の泡化筒と、前記容器本体内の液体が噴射孔から噴射されるときにその噴射液に回転をかけるスピンエレメントとを備えて、
前記噴射孔から噴射された液滴を前記泡化筒の内壁に衝突させて泡化して噴射するようにした泡吐出容器において、
前記泡化筒の内側と外側を貫通すると共に前記泡化筒の前端面に開放しかつ噴射孔に向けて切り込んだ複数のスリットを、スピンエレメントによって回転のかけられた噴射液の流れ方向に同方向あるいは逆方向に捻るように形成し、
ノズルの噴射孔から噴出された液滴の一部が泡化筒の内壁面に当り飛散しながら空気と混合し直接噴霧される液滴を巻き込んで目的面に噴射されると共に、噴射された液滴の他の一部が泡化筒のスリットを通過することによって空気と混合して泡状となって泡化筒の外側に拡がりながら噴射されるようになっていることを特徴とする泡吐出容器である。
本発明においては、前記スリットが、泡化筒の内側と外側を貫通していることが効果的に広く泡状に噴射できて好ましい。また、前記スリットは、前記泡化筒の噴射孔側から先端部側に向かって開放されていることが効果的に広く泡状に噴射できて好ましい。
【０００７】
また、本発明は、液体を収容する容器本体と、前記容器本体に取付けられて該容器本体内の液体をノズルの噴射孔から液滴にして前方向に噴射するためのトリガースプレー部材を有して成り、
該トリガースプレー部材は、ノズルの噴射孔の周囲に前方向に突出形成された筒形状の泡化筒と、前記容器本体内の液体が噴射孔から噴射されるときにその噴射液に回転をかけるスピンエレメントとを備えて、
前記噴射孔から噴射された液滴を前記泡化筒の内壁に衝突させて泡化して噴射するようにした泡吐出容器において、
前記泡化筒の先端部近傍に先端面に開放せずかつ泡化筒の内側から外側に貫通する貫通孔を形成し、
ノズルの噴射孔から噴出された液滴の一部が泡化筒の内壁面に当り飛散しながら空気と混合し直接噴霧される液滴を巻き込んで目的面に噴射されると共に、噴射された液滴の他の一部が泡化筒の貫通孔を通過することによって空気と混合して泡状となって泡化筒の外側に拡がりながら噴射されるようになっていることを特徴とする泡吐出容器である。
本発明において、前記貫通孔には、メッシュを設置し、前記噴射された液滴の他の一部が泡化筒の貫通孔に設置のメッシュを通過することによって空気と混合して泡状となって泡化筒の外側に拡がりながら噴射されるようになっていることが好ましい。
【０００８】
本発明によれば、ノズルより霧状に噴霧された液滴の多くのうち一部が筒状の泡化筒の内側にあたり、跳ね返って飛散しつつ空気と混合して泡状となって噴射され、他の一部が泡化筒のスリット、貫通孔、または、貫通孔設置のメッシュを通過することにより、空気を巻き込んで泡化されて外側に広がって噴射されるので、中央部に集中することなく、広い範囲にわたり散布することができる。
【０００９】
また、前記スリットまたは貫通孔を、泡化筒の内側から外側に貫通して形成することにより、ノズルより吐出された液滴の一部が筒状の泡化筒を貫通してより広く外側へと広がって、極めて広く散布することができる。
【００１０】
また、前記スリットを、泡化筒の噴射孔側から前端面側へと開放していることにより、泡状になった液滴を中央部から外側へと連続的に満遍なく広く散布することができる。
【００１１】
【発明の実施の形態】
以下、本発明の実施の形態を、図面を参照して詳細に説明する。
図１は本発明の実施形態に係る泡吐出容器のトリガー式スプレー器の構成を示す説明図、図２は本実施形態に係るノズルの構成を示す部分詳細図、図３の（ａ）は前記ノズルの平面詳細図、（ｂ）は側部断面詳細図、図４は前記ノズルによる通常のスプレーパターンを示す説明図、図５は前記ノズルのスリットから噴射されるスプレーパターンを示す説明図、図６は前記ノズルによる全体のスプレーパターンを示す平面説明図である。
【００１２】
本実施形態に係る泡吐出容器１は、図１に示すように、トリガー式スプレー器であって、噴霧される液体が収容された容器２の口元部２ａにディスペンサー３がキャップ４により装着されている。
前記ディスペンサー３の前方端部にはノズル５が設けられ、該ノズル５の後方にはトリガー６が前記キャップ４との間に隙間を有した状態で揺動自在に設けられている。前記トリガー６に隣接してピストン７およびシリンダ８が配置され、前記トリガー６を揺動させることにより、該トリガー６に連動してピストン７がシリンダ８内で前進・後退動作する。これにより、シリンダ室８ａ内の容積が減少・増大するようにされている。
【００１３】
前記ディスペンサー３の構成は、前記シリンダ室８ａに隣接して、バルブ部９が設けられ、このバルブ部９は下部ではステンレスのボール１０が座面９ａに載置した下部バルブを有し、この座面９ａの下方には容器２内から液をディスペンサー３に流通させるディップチューブ１１が接続されている。また、バルブ部９の上部ではシリンダ室８ａへの通路孔１２と、通常弁体１３ａが座面９ｂに付勢力により押し付けられ、かつ、バルブ部９の内圧が一定以上になると弁体１３ａが座面９ｂから離れて開く上部バルブ１３と、ディスペンサー３先端部のノズル５に亘るノズル通路５ａとが形成されている。弁体１３ａの下部はボール１０近傍に延びていて、ボール１０を一定範囲で動作させる規制部材になっている。
【００１４】
前記ノズル５は、図２、図３に示すように、中央に液滴が噴射される噴射孔２０が形成され、該噴射孔２０の周囲に略円筒形状に泡化筒２１が突出形成されている。
前記泡化筒２１には、その先端部より噴射孔２０側に向かい櫛歯状のスリット２２が左右方向に対称でかつ、平行に複数個所形成されている。
【００１５】
次に、泡吐出容器１による噴霧操作について説明する。
通常使用する場合、図１に示すように、容器２内の液は、ピストン７の図中の左方向への動きにより、ディップチューブ１１内を通り（吸い上がり）、ボール１０を押し上げて通路孔１２を通ってシリンダ室８ａ内に吸入される。次に、ピストン７の図中の右方向への動きにより、前記シリンダ室８ａに吸入されていた液は、ボール１０を座面９ａに押し付け、弁体１３ａを上向きに押し上げることにより、通路５ａを通ってノズル５より噴出される。
【００１６】
ノズル５の噴射孔２０から噴出された多くの液滴の一部は、図４に示すように、泡化筒２１の内壁面にあたり、飛散しながら空気と混合して泡状となり、直接噴霧される液滴を巻き込んで、スプレーパターン２１Ｐとして目的の面に噴射される。
図中の符号５ｂはスピンエレメントであり、該スピンエレメント５ｂによって、内溶液が噴射孔２０から噴射される時に噴射液に回転がかけられて、前方に直線的に飛び出す液滴は少なくされている。
【００１７】
一方、噴射された他の一部の液滴は、図５に示すように、泡化筒２１のスリット部を通過するときに空気を混合して泡状となって、泡化筒２１の外側に広がりながら噴射される。
このように噴射されたスプレーパターン２２Ｐは、図６に示すように、通常のスプレーパターン２１Ｐを中央にして、スリット２２が形成された方向に広がった略楕円形状に形成される。
【００１８】
上記の構成によると、泡化筒２１の先端部の左右方向にスリット２２を形成することにより、該スリット２２を介して側方に噴射されるので、中央部に集中することなく、スリット２２形成方向に拡散して散布することができ、従って、広い範囲にわたり散布することができる。
【００１９】
なお、本実施形態においては、スリット２２の形状を左右方向に対称でかつ、平行に形成しているが、本発明は、これに限定されるものではなく、例えば、図７に示すように、泡化筒１２１にスリット１２２を噴射の流れ方向と同じ方向に捻った状態で形成するものであってもよい。また、噴射の流れ方向と逆方向に捻るように形成するものであってもよく、捻れ形状に応じて散布状態を変化させることができる。
【００２０】
また、本実施形態においては、スリット２２を先端部の一部に形成しているが、本発明は、これに限定されるものではなく、例えば、泡化筒２１の先端部外周の全周にわたり形成するものであっても良い。この場合、従来の散布範囲と比較して、全体的に拡大した範囲にわたり散布することができる。
【００２１】
ここで、泡化筒に形成する切欠部の形状による散布効果を以下に示す。
サンプル１は、従来の円筒形状の泡化筒である。
サンプル２は、図８の（ａ）、（ｂ）に示すように、泡化筒４２１を２重円筒構造として、内側筒４２１ａと外側筒４２１ｂとをずらした位置でスリット４２２を形成したものである。
【００２２】
次に、各サンプルのスプレーパターンを示すと、図９はサンプル１のスプレーパターン１００ｐ、図１０はサンプル２のスプレーパターン４００ｐである。
【００２３】
以上のように、各サンプルのスプレーパターンからも分るように、泡化筒にスリットを形成することにより、スリットより泡が放射状に広がり、広範囲にわたり散布することができ、しかも、スリットの形状に応じてスプレーパターンを変化させることができる。
従って、所望するスプレーパターンを作成することも可能となる。
【００２４】
次に、本発明の前記実施形態の他の例（実施形態２〜４）を、図面を参照して説明する。
実施形態２は、図１１に示すように泡化筒５２１の先端部近傍に内側から外側に貫通する貫通孔５２２を形成し、そこにメッシュ５２２ａを設置するようにしたものである。
前記貫通孔５２２は所望の個所に形成するものであって、全周にわたり形成するものであっても良い。この場合、メッシュのサイズによって泡の散布状態を変化させることができる。
【００２５】
実施形態３は、図１２に示すように泡化筒６２１の先端部近傍に内側から外側に貫通する小さな貫通孔６２２を複数個形成するものである。
前記貫通孔６２２は所望の個所に形成するものであって、全周にわたり形成するものであっても良い。この場合、貫通孔６２２の配置や配列によって泡の散布状況を変化させることができる。
【００２７】
実施形態４は、図１３の（ａ）、（ｂ）に示すように、泡化筒８２１を楕円形状に形成して、その先端部近傍に複数のスリット８２２を形成するものである。この場合、円筒状の泡化筒と比較して、横長に広がるスプレーパターン８００ｐになり、スリット８２２により、さらに広範囲にわたり泡を拡散して散布することができる。
【００２８】
【発明の効果】
以上、説明したように本発明の請求項１〜３記載の泡吐出容器によれば、泡化筒にスリット、貫通孔設置のメッシュ、または、複数の貫通孔を形成することにより、内溶液を泡状でスプレーするとともに、泡の噴射を拡散させることによりスプレーパターンを広くして、内容液の散布効率の向上を図り、泡を薄く広く散布することで内容液を効率良く使用することができるという優れた効果を奏し得る。
【図面の簡単な説明】
【図１】  本発明の実施形態に係る泡吐出容器のトリガー式スプレー器の構成を示す説明図である。
【図２】  本実施形態に係るノズルの構成を示す部分詳細図である。
【図３】  （ａ）は前記ノズルの平面詳細図、（ｂ）は側部断面詳細図である。
【図４】  前記ノズルによる通常のスプレーパターンを示す説明図である。
【図５】  前記ノズルのスリットから噴射されるスプレーパターンを示す説明図である。
【図６】  前記ノズルによる全体のスプレーパターンを示す平面説明図である。
【図７】  本実施形態に係るスリットの変形例を示す斜視図である。
【図８】  （ａ）はサンプル２の平面図、（ｂ）は側面図である。
【図９】  サンプル１のスプレーパターンを示す説明図である。
【図１０】  サンプル２のスプレーパターンを示す説明図である。
【図１１】  実施形態２の構成を示す側面図である。
【図１２】  実施形態３の構成を示す側面図である。
【図１３】  （ａ）は実施形態４の構成を示す平面図、（ｂ）はスプレーパターンを示す説明図である。
【符号の説明】
１  泡吐出容器
２  容器
３  ディスペンサー
５  ノズル
５ａ  ノズル通路
２０  噴射孔
２１、１２１、４２１、５２１、６２１、８２１  泡化筒
２２、１２２、４２２、８２２  スリット
２１ｐ、２２ｐ  スプレーパターン
４２１ａ  内側筒
４２１ｂ  外側筒
５２２、６２２  貫通孔
５２２ａ  メッシュ
【図１】
0003976476.tif 000002
【図２】
0003976476.tif 000003
【図３】
0003976476.tif 000004
【図４】
0003976476.tif 000005
【図５】
0003976476.tif 000006
【図６】
0003976476.tif 000007
【図７】
0003976476.tif 000008
【図８】
0003976476.tif 000009
【図９】
0003976476.tif 000010
【図１０】
0003976476.tif 000011
【図１１】
0003976476.tif 000012
【図１２】
0003976476.tif 000013
【図１３】
0003976476.tif 000014